【手続補正書】
【提出日】平成18年3月1日(2006.3.1)
【手続補正１】
【補正対象書類名】明細書
【補正対象項目名】特許請求の範囲
【補正方法】変更
【補正の内容】
【特許請求の範囲】
【請求項１】  所定の通信路を介して他の情報処理装置を制御する情報処理装置において、
前記他の情報処理装置に対する制御の指令を受け取る受け取り手段と、
前記受け取り手段が前記他の情報処理装置に対する制御の指令を受け取ったとき、前記他の情報処理装置を制御対象とするための第１の予約処理と、前記所定の通信路を介して前記他の情報処理装置と情報を授受するための第２の予約処理のうちの一方を行う第１の予約手段と、
前記第１の予約手段による予約処理が成功したとき、前記第１の予約処理と第２の予約処理のうちの他方の予約処理を行う第２の予約手段と、
前記第１の予約手段による予約と前記第２の予約手段による予約の両方が成功したとき、予約成功の信号を出力し、少なくとも一方が成功しなかったとき、予約不成功の信号を出力する出力手段と
を備えることを特徴とする情報処理装置。
【請求項２】  前記所定の通信路は、IEEE１３９４高速シリアルバスである
ことを特徴とする請求項１に記載の情報処理装置。
【請求項３】  前記第１の予約処理は、前記IEEE１３９４高速シリアルバス上におけるReserve処理であり、
前記第２の処理は、前記IEEE１３９４高速シリアルバスの帯域とチャンネルを予約する処理である
ことを特徴とする請求項２に記載の情報処理装置。
【請求項４】  前記第１の予約手段による予約結果と、前記第２の予約手段による予約結果とを記憶する記憶手段を
さらに備えることを特徴とする請求項１に記載の情報処理装置。
【請求項５】  前記第１の予約手段と前記第２の予約手段は、前記他の情報処理装置が変更されたとき、前記記憶手段に記憶されている予約結果に対応して、変更前の前記他の情報処理装置のための前記第１の予約処理および第２の予約処理を解除するとともに、変更後の前記他の情報処理装置のために、それぞれ、前記第１の予約処理または第２の予約処理を行う
ことを特徴とする請求項４に記載の情報処理装置。
【請求項６】  前記第１の予約手段と前記第２の予約手段は、前記所定の通信路がリセットされたとき、前記記憶手段に記憶されている予約結果に対応して、前記他の情報処理装置のための前記第１の予約処理または第２の予約処理をそれぞれ再度実行する
ことを特徴とする請求項４に記載の情報処理装置。
【請求項７】  所定の通信路を介して他の情報処理装置を制御する情報処理装置の情報処理方法において、
前記他の情報処理装置に対する制御の指令を受け取る受け取りステップと、
前記受け取りステップの処理により前記他の情報処理装置に対する制御の指令を受け取ったとき、前記他の情報処理装置を制御対象とするための第１の予約処理と、前記所定の通信路を介して前記他の情報処理装置と情報を授受するための第２の予約処理のうちの一方を行う第１の予約ステップと、
前記第１の予約ステップの処理による予約処理が成功したとき、前記第１の予約処理と第２の予約処理のうちの他方の予約処理を行う第２の予約ステップと、
前記第１の予約ステップによる予約と前記第２の予約ステップによる予約の両方が成功したとき、予約成功の信号を出力し、少なくとも一方が成功しなかったとき、予約不成功の信号を出力する出力ステップと
を含むことを特徴とする情報処理方法。
【請求項８】  所定の通信路を介して他の情報処理装置を制御する情報処理用のプログラムであって、
前記他の情報処理装置に対する制御の指令を受け取る受け取りステップと、
前記受け取りステップの処理により前記他の情報処理装置に対する制御の指令を受け取ったとき、前記他の情報処理装置を制御対象とするための第１の予約処理と、前記所定の通信路を介して前記他の情報処理装置と情報を授受するための第２の予約処理のうちの一方を行う第１の予約ステップと、
前記第１の予約ステップの処理による予約処理が成功したとき、前記第１の予約処理と第２の予約処理のうちの他方の予約処理を行う第２の予約ステップと、
前記第１の予約ステップによる予約と前記第２の予約ステップによる予約の両方が成功したとき、予約成功の信号を出力し、少なくとも一方が成功しなかったとき、予約不成功の信号を出力する出力ステップと
を含むことを特徴とする処理をコンピュータに実行させるプログラムを記録した媒体。
【請求項９】  所定の通信路を介して他の情報処理装置と情報を授受するためのインタフェースを有する情報処理装置において、
前記他の情報処理装置に対する制御の指令を前記インタフェースに出力する出力手段と、
前記出力手段が出力した前記指令に対応して、前記インタフェースが行った、前記他の情報処理装置を制御対象とするための第１の予約処理と、前記所定の通信路を介して前記他の情報処理装置と情報を授受するための第２の予約処理の結果に基づいて、前記インタフェースが出力する、両方が成功したこと、または少なくとも一方が成功しなかったことを表す予約信号を受信する受信手段と、
前記受信手段が受信した予約信号に対応して、前記所定の通信路を介して前記他の情報処理装置と情報を授受する授受手段と
を備えることを特徴とする情報処理装置。
【請求項１０】  所定の通信路を介して他の情報処理装置と情報を授受するためのインタフェースを有する情報処理装置の情報処理方法において、
前記他の情報処理装置に対する制御の指令を前記インタフェースに出力する出
力ステップと、
前記出力ステップの処理により出力された前記指令に対応して、前記インタフェースが行った、前記他の情報処理装置を制御対象とするための第１の予約処理と、前記所定の通信路を介して前記他の情報処理装置と情報を授受するための第２の予約処理の結果に基づいて、前記インタフェースが出力する、両方が成功したこと、または少なくとも一方が成功しなかったことを表す予約信号を受信する受信ステップと、
前記受信ステップの処理により受信した予約信号に対応して、前記所定の通信路を介して前記他の情報処理装置と情報を授受する授受ステップと
を含むことを特徴とする情報処理方法。
【請求項１１】  所定の通信路を介して他の情報処理装置と情報を授受するためのインタフェースを有する情報処理装置の情報処理用のプログラムであって、
前記他の情報処理装置に対する制御の指令を前記インタフェースに出力する出
力ステップと、
前記出力ステップの処理により出力された前記指令に対応して、前記インタフェースが行った、前記他の情報処理装置を制御対象とするための第１の予約処理と、前記所定の通信路を介して前記他の情報処理装置と情報を授受するための第２の予約処理の結果に基づいて、前記インタフェースが出力する、両方が成功したこと、または少なくとも一方が成功しなかったことを表す予約信号を受信する受信ステップと、
前記受信ステップの処理により受信した予約信号に対応して、前記所定の通信路を介して前記他の情報処理装置と情報を授受する授受ステップと
を含むことを特徴とする処理をコンピュータに実行させるプログラムを記録した媒体。
【請求項１２】  所定の通信路を介して他の情報処理装置を制御する第１の手段と、
前記第１の手段と前記所定の通信路との間でインタフェース処理を行う第２の手段と
を備える情報処理装置において、
前記第１の手段は、
前記他の情報処理装置に対する制御の指令を前記第２の手段に出力する第１の出力手段と、
前記第１の出力手段が出力した前記指令に対応して、前記第２の手段が行った、前記他の情報処理装置を制御対象とするための第１の予約処理と、前記所定の通信路を介して前記他の情報処理装置と情報を授受するための第２の予約処理の結果に基づいて、前記第２の手段が出力する、両方が成功したこと、または少なくとも一方が成功しなかったことを表す予約信号を受信する第１の受信手段と、
前記第１の受信手段が受信した予約信号に対応して、前記第２の手段と前記所定の通信路を介して前記他の情報処理装置と情報を授受する授受手段と
を備え、
前記第２の手段は、
前記第１の出力手段が出力した前記他の情報処理装置に対する制御の指令を受信する第２の受信手段と、
前記第２の受信手段が前記他の情報処理装置に対する制御の指令を受信したとき、前記他の情報処理装置を制御対象とするための第１の予約処理と、前記所定の通信路を介して前記他の情報処理装置と情報を授受するための第２の予約処理のうちの一方を行う第１の予約手段と、
前記第１の予約手段による予約処理が成功したとき、前記第１の予約処理と第２の予約処理のうちの他方の予約処理を行う第２の予約手段と、
前記第１の予約手段による予約と前記第２の予約手段による予約の結果に対応して、前記予約信号を前記第１の受信手段に出力する第２の出力手段と
を備えることを特徴とする情報処理装置。
【請求項１３】  所定の通信路を介して他の情報処理装置を制御する第１の手段と、
前記第１の手段と前記所定の通信路との間でインタフェース処理を行う第２の手段と
を備える情報処理装置の情報処理方法において、
前記第１の手段の情報処理方法は、
前記他の情報処理装置に対する制御の指令を前記第２の手段に出力する第１の出力ステップと、
前記第１の出力ステップの処理により出力された前記指令に対応して、前記第２の手段が行った、前記他の情報処理装置を制御対象とするための第１の予約処理と、前記所定の通信路を介して前記他の情報処理装置と情報を授受するための第２の予約処理の結果に基づいて、前記第２の手段が出力する、両方が成功したこと、または少なくとも一方が成功しなかったことを表す予約信号を受信する第１の受信ステップと、
前記第１の受信ステップの処理により受信された予約信号に対応して、前記第２の手段と前記所定の通信路を介して前記他の情報処理装置と情報を授受する授受ステップと
を含み、
前記第２の手段の情報処理方法は、
前記第１の出力ステップの処理により出力された前記他の情報処理装置に対する制御の指令を受信する第２の受信ステップと、
前記第２の受信ステップの処理により前記他の情報処理装置に対する制御の指令を受信したとき、前記他の情報処理装置を制御対象とするための第１の予約処理と、前記所定の通信路を介して前記他の情報処理装置と情報を授受するための第２の予約処理のうちの一方を行う第１の予約ステップと、
前記第１の予約ステップの処理による予約処理が成功したとき、前記第１の予約処理と第２の予約処理のうちの他方の予約処理を行う第２の予約ステップと、
前記第１の予約ステップの処理による予約と前記第２の予約ステップの処理による予約の結果に対応して、前記予約信号を前記第１の受信ステップの処理のために出力する第２の出力ステップと
を含むことを特徴とする情報処理方法。
【請求項１４】  所定の通信路を介して他の情報処理装置を制御する第１の手段と、
前記第１の手段と前記所定の通信路との間でインタフェース処理を行う第２の手段と
を備える情報処理装置の情報処理用のプログラムであって、
前記第１の手段の情報処理用のプログラムは、
前記他の情報処理装置に対する制御の指令を前記第２の手段に出力する第１の出力ステップと、
前記第１の出力ステップの処理により出力された前記指令に対応して、前記第２の手段が行った、前記他の情報処理装置を制御対象とするための第１の予約処理と、前記所定の通信路を介して前記他の情報処理装置と情報を授受するための第２の予約処理の結果に基づいて、前記第２の手段が出力する、両方が成功したこと、または少なくとも一方が成功しなかったことを表す予約信号を受信する第１の受信ステップと、
前記第１の受信ステップの処理により受信された予約信号に対応して、前記第２の手段と前記所定の通信路を介して前記他の情報処理装置と情報を授受する授受ステップと
を含み、
前記第２の手段の情報処理用のプログラムは、
前記第１の出力ステップの処理により出力された前記他の情報処理装置に対する制御の指令を受信する第２の受信ステップと、
前記第２の受信ステップの処理により前記他の情報処理装置に対する制御の指令を受信したとき、前記他の情報処理装置を制御対象とするための第１の予約処理と、前記所定の通信路を介して前記他の情報処理装置と情報を授受するための第２の予約処理のうちの一方を行う第１の予約ステップと、
前記第１の予約ステップの処理による予約処理が成功したとき、前記第１の予約処理と第２の予約処理のうちの他方の予約処理を行う第２の予約ステップと、
前記第１の予約ステップの処理による予約と前記第２の予約ステップの処理による予約の結果に対応して、前記予約信号を前記第１の受信ステップの処理のために出力する第２の出力ステップと
を含むことを特徴とする処理をコンピュータに実行させるプログラムを記録した媒体。
【手続補正２】
【補正対象書類名】明細書
【補正対象項目名】０００８
【補正方法】変更
【補正の内容】
【０００８】
【課題を解決するための手段】
請求項１に記載の情報処理装置は、他の情報処理装置に対する制御の指令を受け取る受け取り手段と、受け取り手段が他の情報処理装置に対する制御の指令を受け取ったとき、他の情報処理装置を制御対象とするための第１の予約処理と、所定の通信路を介して他の情報処理装置と情報を授受するための第２の予約処理のうちの一方を行う第１の予約手段と、第１の予約手段による予約処理が成功したとき、第１の予約処理と第２の予約処理のうちの他方の予約処理を行う第２の予約手段と、第１の予約手段による予約と第２の予約手段による予約の両方が成功したとき、予約成功の信号を出力し、少なくとも一方が成功しなかったとき、予約不成功の信号を出力する出力手段とを備えることを特徴とする。
【手続補正３】
【補正対象書類名】明細書
【補正対象項目名】０００９
【補正方法】変更
【補正の内容】
【０００９】
前記所定の通信路は、IEEE１３９４高速シリアルバスとすることができる。
【手続補正４】
【補正対象書類名】明細書
【補正対象項目名】００１３
【補正方法】変更
【補正の内容】
【００１３】
前記第１の予約手段と第２の予約手段には、所定の通信路がリセットされたとき、記憶手段に記憶されている予約結果に対応して、他の情報処理装置のための第１の予約処理または第２の予約処理をそれぞれ再度実行させるようにすることができる。
【手続補正５】
【補正対象書類名】明細書
【補正対象項目名】００１４
【補正方法】変更
【補正の内容】
【００１４】
請求項７に記載の情報処理方法は、他の情報処理装置に対する制御の指令を受け取る受け取りステップと、受け取りステップの処理により他の情報処理装置に対する制御の指令を受け取ったとき、他の情報処理装置を制御対象とするための第１の予約処理と、所定の通信路を介して他の情報処理装置と情報を授受するための第２の予約処理のうちの一方を行う第１の予約ステップと、第１の予約ステップの処理による予約処理が成功したとき、第１の予約処理と第２の予約処理のうちの他方の予約処理を行う第２の予約ステップと、第１の予約ステップによる予約と第２の予約ステップによる予約の両方が成功したとき、予約成功の信号を出力し、少なくとも一方が成功しなかったとき、予約不成功の信号を出力する出力ステップとを含むことを特徴とする。
【手続補正６】
【補正対象書類名】明細書
【補正対象項目名】００１５
【補正方法】変更
【補正の内容】
【００１５】
請求項８に記載の媒体に記録されているプログラムは、他の情報処理装置に対する制御の指令を受け取る受け取りステップと、受け取りステップの処理により他の情報処理装置に対する制御の指令を受け取ったとき、他の情報処理装置を制御対象とするための第１の予約処理と、所定の通信路を介して他の情報処理装置と情報を授受するための第２の予約処理のうちの一方を行う第１の予約ステップと、第１の予約ステップの処理による予約処理が成功したとき、第１の予約処理と第２の予約処理のうちの他方の予約処理を行う第２の予約ステップと、第１の予約ステップによる予約と第２の予約ステップによる予約の両方が成功したとき、予約成功の信号を出力し、少なくとも一方が成功しなかったとき、予約不成功の信号を出力する出力ステップとを含むことを特徴とする処理をコンピュータに実行させる。
【手続補正７】
【補正対象書類名】明細書
【補正対象項目名】００１６
【補正方法】変更
【補正の内容】
【００１６】
請求項９に記載の情報処理装置は、他の情報処理装置に対する制御の指令をインタフェースに出力する出力手段と、出力手段が出力した指令に対応して、インタフェースが行った、他の情報処理装置を制御対象とするための第１の予約処理と、所定の通信路を介して他の情報処理装置と情報を授受するための第２の予約処理の結果に基づいて、インタフェースが出力する、両方が成功したこと、または少なくとも一方が成功しなかったことを表す予約信号を受信する受信手段と、受信手段が受信した予約信号に対応して、所定の通信路を介して他の情報処理装置と情報を授受する授受手段とを備えることを特徴とする。
【手続補正８】
【補正対象書類名】明細書
【補正対象項目名】００１７
【補正方法】変更
【補正の内容】
【００１７】
請求項１０に記載の情報処理方法は、他の情報処理装置に対する制御の指令をインタフェースに出力する出力ステップと、出力ステップの処理により出力された指令に対応して、インタフェースが行った、他の情報処理装置を制御対象とするための第１の予約処理と、所定の通信路を介して他の情報処理装置と情報を授受するための第２の予約処理の結果に基づいて、インタフェースが出力する、両方が成功したこと、または少なくとも一方が成功しなかったことを表す予約信号を受信する受信ステップと、受信ステップの処理により受信した予約信号に対応して、所定の通信路を介して他の情報処理装置と情報を授受する授受ステップとを含むことを特徴とする。
【手続補正９】
【補正対象書類名】明細書
【補正対象項目名】００１８
【補正方法】変更
【補正の内容】
【００１８】
請求項１１に記載の媒体に記録されているプログラムは、他の情報処理装置に対する制御の指令をインタフェースに出力する出力ステップと、出力ステップの処理により出力された指令に対応して、インタフェースが行った、他の情報処理装置を制御対象とするための第１の予約処理と、所定の通信路を介して他の情報処理装置と情報を授受するための第２の予約処理の結果に基づいて、インタフェースが出力する、両方が成功したこと、または少なくとも一方が成功しなかったことを表す予約信号を受信する受信ステップと、受信ステップの処理により受信した予約信号に対応して、所定の通信路を介して他の情報処理装置と情報を授受する授受ステップとを含むことを特徴とする処理をコンピュータに実行させる。
【手続補正１０】
【補正対象書類名】明細書
【補正対象項目名】００１９
【補正方法】変更
【補正の内容】
【００１９】
請求項１２に記載の情報処理装置は、第１の手段が、他の情報処理装置に対する制御の指令を第２の手段に出力する第１の出力手段と、第１の出力手段が出力した指令に対応して、第２の手段が行った、他の情報処理装置を制御対象とするための第１の予約処理と、所定の通信路を介して他の情報処理装置と情報を授受するための第２の予約処理の結果に基づいて、第２の手段が出力する、両方が成功したこと、または少なくとも一方が成功しなかったことを表す予約信号を受信する第１の受信手段と、第１の受信手段が受信した予約信号に対応して、第２の手段と所定の通信路を介して他の情報処理装置と情報を授受する授受手段とを備え、第２の手段が、第１の出力手段が出力した他の情報処理装置に対する制御の指令を受信する第２の受信手段と、第２の受信手段が他の情報処理装置に対する制御の指令を受信したとき、他の情報処理装置を制御対象とするための第１の予約処理と、所定の通信路を介して他の情報処理装置と情報を授受するための第２の予約処理のうちの一方を行う第１の予約手段と、第１の予約手段による予約処理が成功したとき、第１の予約処理と第２の予約処理のうちの他方の予約処理を行う第２の予約手段と、第１の予約手段による予約と第２の予約手段による予約の結果に対応して、予約信号を第１の受信手段に出力する第２の出力手段とを備えることを特徴とする。
【手続補正１１】
【補正対象書類名】明細書
【補正対象項目名】００２０
【補正方法】変更
【補正の内容】
【００２０】
請求項１３に記載の情報処理方法は、第１の手段の情報処理方法が、他の情報処理装置に対する制御の指令を第２の手段に出力する第１の出力ステップと、第１の出力ステップの処理により出力された指令に対応して、第２の手段が行った、他の情報処理装置を制御対象とするための第１の予約処理と、所定の通信路を介して他の情報処理装置と情報を授受するための第２の予約処理の結果に基づいて、第２の手段が出力する、両方が成功したこと、または少なくとも一方が成功しなかったことを表す予約信号を受信する第１の受信ステップと、第１の受信ステップの処理により受信された予約信号に対応して、第２の手段と所定の通信路を介して他の情報処理装置と情報を授受する授受ステップとを含み、第２の手段の情報処理方法が、第１の出力ステップの処理により出力された他の情報処理装置に対する制御の指令を受信する第２の受信ステップと、第２の受信ステップの処理により他の情報処理装置に対する制御の指令を受信したとき、他の情報処理装置を制御対象とするための第１の予約処理と、所定の通信路を介して他の情報処理装置と情報を授受するための第２の予約処理のうちの一方を行う第１の予約ステップと、第１の予約ステップの処理による予約処理が成功したとき、第１の予約処理と第２の予約処理のうちの他方の予約処理を行う第２の予約ステップと、第１の予約ステップの処理による予約と第２の予約ステップの処理による予約の結果に対応して、予約信号を第１の受信ステップの処理のために出力する第２の出力ステップとを含むことを特徴とする。
【手続補正１２】
【補正対象書類名】明細書
【補正対象項目名】００２１
【補正方法】変更
【補正の内容】
【００２１】
請求項１４に記載の媒体に記録されているプログラムは、第１の手段の情報処理用のプログラムが、他の情報処理装置に対する制御の指令を第２の手段に出力する第１の出力ステップと、第１の出力ステップの処理により出力された指令に対応して、第２の手段が行った、他の情報処理装置を制御対象とするための第１の予約処理と、所定の通信路を介して他の情報処理装置と情報を授受するための第２の予約処理の結果に基づいて、第２の手段が出力する、両方が成功したこと、または少なくとも一方が成功しなかったことを表す予約信号を受信する第１の受信ステップと、第１の受信ステップの処理により受信された予約信号に対応して、第２の手段と所定の通信路を介して他の情報処理装置と情報を授受する授受ステップと含み、第２の手段の情報処理用のプログラムが、第１の出力ステップの処理により出力された他の情報処理装置に対する制御の指令を受信する第２の受信ステップと、第２の受信ステップの処理により他の情報処理装置に対する制御の指令を受信したとき、他の情報処理装置を制御対象とするための第１の予約処理と、所定の通信路を介して他の情報処理装置と情報を授受するための第２の予約処理のうちの一方を行う第１の予約ステップと、第１の予約ステップの処理による予約処理が成功したとき、第１の予約処理と第２の予約処理のうちの他方の予約処理を行う第２の予約ステップと、第１の予約ステップの処理による予約と第２の予約ステップの処理による予約の結果に対応して、予約信号を第１の受信ステップの処理のために出力する第２の出力ステップとを含むことを特徴とする処理をコンピュータに実行させる。
【手続補正１３】
【補正対象書類名】明細書
【補正対象項目名】００２３
【補正方法】変更
【補正の内容】
【００２３】
請求項９に記載の情報処理装置、請求項１０に記載の情報処理方法、および請求項１１に記載の媒体においては、インタフェースに対して、他の情報処理装置に対する制御の指令が出力され、その指令に対応して、インタフェースが出力する、第１の予約処理と第２の予約処理の両方が成功したこと、また、少なくとも一方が成功したことを表す予約信号に対応して、所定の通信路を介して他の情報処理装置と情報が授受される。
【手続補正１４】
【補正対象書類名】明細書
【補正対象項目名】００２４
【補正方法】変更
【補正の内容】
【００２４】
請求項１２に記載の情報処理装置、請求項１３に記載の情報処理方法、および請求項１４に記載の媒体においては、第１の手段が、他の情報処理装置に対する制御の指令を第２の手段に出力し、第２の手段が、その指令に対応して、第１の予約処理と第２の予約処理を行い、その予約処理の結果に対応して、予約信号を第１の手段に出力する。第１の手段は、第２の手段からの予約信号に対応して、第２の手段と所定の通信路を介して、他の情報処理装置と情報を授受する。
【手続補正１５】
【補正対象書類名】明細書
【補正対象項目名】０１３２
【補正方法】変更
【補正の内容】
【０１３２】
また、第１の処理と第２の処理は関連して行われ、少なくとも一方が不成功の場合、予約不成功の信号を出力するようにしたので、実質的に操作できない他の情報処理装置が無駄に占有されてしまうようなことが防止され、所定の通信路上のリソースを有効に活用することが可能となる。
【手続補正１６】
【補正対象書類名】明細書
【補正対象項目名】０１３４
【補正方法】変更
【補正の内容】
【０１３４】
請求項９に記載の情報処理装置、請求項１０に記載の情報処理方法、および請求項１１に記載の媒体によれば、他の情報処理装置に対する制御の指令をインタフェースに出力し、インタフェースからの第１の予約処理と第２の予約処理の予約処理の結果に基づく予約信号を受信し、その予約信号に対応して、所定の通信路を介して他の情報処理装置と情報を授受するようにしたので、他の情報処理装置が、第１の予約処理を必要とする装置であっても、必要としない装置であっても、同一の処理で他の情報処理装置と情報を、簡単かつ確実に授受することが可能となる。
【手続補正１７】
【補正対象書類名】明細書
【補正対象項目名】０１３６
【補正方法】変更
【補正の内容】
【０１３６】
また、所定の通信路に接続されているリソースが無駄に占有されることが防止され、操作性を改善したシステムを実現することができる。